(57)【特許請求の範囲】
【請求項１】
建築物の天井部に架設された腕木に支持される継手であって、
前記腕木と平行に延びる配管がその両端に接続される接続管部と、該接続管部の軸方向の中間位置から垂下してスプリンクラヘッドが接続される取付管部を備え、
前記腕木に支持されたとき、前記接続管部は前記腕木より上方に位置しており、
前記腕木との当接により全体の回り止めをするための回り止め部が、前記接続管部と前記取付管部との連結箇所を除く前記取付管部の外周面のみに設けられ、
前記回り止め部の幅を前記取付管部の外径以下にしたことを特徴とする継手。
【請求項２】
前記回り止め部を平面部により構成したことを特徴とする請求項１に記載の継手。
【請求項３】
前記平面部の両側縁に傾斜平面部を形成したことを特徴とする請求項２に記載の継手。
【請求項４】
前記回り止め部を凹凸部により構成したことを特徴とする請求項１に記載の継手。
【請求項５】
前記凹凸部を前記取付管部の軸方向に延びる突条と凹溝とにより構成したことを特徴とする請求項４に記載の継手。
【発明の詳細な説明】
【技術分野】
【０００１】
この発明は、水等の流体の配管路に接続される継手に関するものである。
【背景技術】
【０００２】
従来、建築物の天井部に設けられるスプリンクラヘッド用の配管路として、例えば図１０及び図１１に示すような構成が一般的に知られている。すなわち、建築物の天井部に複数の梁材３１が間隔をおいて配設され、その梁材３１の下部には天井板３２が張設されている。梁材３１の上部には水道水の配管３３が延長配置されている。そして、その配管３３の一部にスプリンクラヘッド用の継手３４が接続されている。この継手３４はほぼＴ形状に形成され、配管３３に接続される一対の接続管部３４ａと、スプリンクラヘッド３５を取り付けるための取付管部３４ｂとを備えている。
【０００３】
前記継手３４に対応して、梁材３１間の上部には腕木３６が架設されている。そして、継手３４の取付管部３４ｂが取付金具３７及び一対の取付ネジ３８により、腕木３６の側面に取り付けられている。この状態で、継手３４の取付管部３４ｂが天井板３２に形成された挿通孔３２ａに挿通配置され、その取付管部３４ｂの下端のネジ孔３４ｃに対して、天井板３２の下方からスプリンクラヘッド３５がねじ込み固定されるようになっている。
【０００４】
また、従来、水道管に蛇口を取り付ける場合、水道管と蛇口との間に連結管として介装される側面ほぼＬ字状の給水エルボとしては、例えば特許文献１に開示されるような構成が提案されている。この従来構成においては、給水エルボの管部の背面両側に一対の平板状の取付座が一体に突出形成され、その取付座には止着孔が形成されている。そして、取付座を壁面に当接させた状態で、止着孔を介して壁面にビス等の止着具を挿通することにより、給水エルボが壁面に対して首振り不能に取り付けられるようになっている。
【先行技術文献】
【特許文献】
【０００５】
【特許文献１】実開昭６４−１７０８８号公報
【発明の概要】
【発明が解決しようとする課題】
【０００６】
ところが、前述した図１０及び図１１に示す従来構成では、継手３４の取付管部３４ｂの円筒外周面が取付金具３７により、腕木３６の側面に締め付け固定されているにすぎない。このため、取付管部３４ｂの下端のネジ孔３４ｃにスプリンクラヘッド３５をねじ込み固定する際、図１１に矢印で示すように、継手３４が取付管部３４ｂの軸線を中心に妄動回転して、継手３４の接続管部３４ａと配管３３との接続部に無理な力がかかるという問題があった。
【０００７】
また、特許文献１に記載の従来構成では、壁面に対する給水エルボの取付状態において、管部の背面両側に突出する平板状の取付座が壁面に当接されるため、給水エルボに対する蛇口の取着時等に、給水エルボが首振り回動するおそれはない。しかしながら、管部の背面両側に一対の平板状の取付座が大きくはみ出して突出形成されているため、給水エルボ全体が大型になり、それにともなって、取り扱いが面倒になるという問題があった。従って、この特許文献１に記載の構成を図１０及び図１１に示す従来構成に適用して、継手３４の取付管部３４ｂの背面両側に一対の平板状の取付座を一体に突出形成したとしても、継手３４が大型化，大重量化して好ましくなかった。
【０００８】
この発明は、このような従来の技術に存在する問題点に着目してなされたものである。その目的は、腕木に対して妄動回転することなく取付支持することができるとともに、全体の形状が大型化することを抑制することができる継手を提供することにある。
【課題を解決するための手段】
【０００９】
上記の目的を達成するために、この発明は、建築物の天井部に架設された腕木に支持される継手であって、前記腕木と平行に延びる配管がその両端に接続される接続管部と、該接続管部の軸方向の中間位置から垂下してスプリンクラヘッドが接続される取付管部を備え、前記腕木に支持されたとき、前記接続管部は前記腕木より上方に位置しており、前記腕木との当接により全体の回り止めをするための回り止め部が、前記接続管部と前記取付管部との連結箇所を除く前記取付管部の外周面のみに設けられ、前記回り止め部の幅を前記取付管部の外径以下にしたことを特徴としている。ここで、取付管部とは継手の腕木に取り付けられる部分をいう。
【００１０】
従って、この発明の継手では、腕木に対する継手の取付支持状態において、取付管部の外周面に設けられた回り止め部が腕木に当接することにより、継手の回り止めが行われる。よって、継手を腕木に対して妄動回転することなく取付支持することができる。また、回り止め部が取付管部の外周面に突出することなく設けられているため、継手全体の形状が大型化するのを抑制することができる。
【００１１】
前記の構成において、前記回り止め部を平面部とするとよい。
前記の構成において、前記平面部の両側縁に傾斜平面部を形成するとよい。
前記の構成において、前記回り止め部を凹凸部により構成するとよい。
【００１２】
前記の構成において、前記凹凸部を取付管部の軸方向に延びる突条と凹溝とにより構成するとよい。
【発明の効果】
【００１３】
以上のように、この発明によれば、継手を腕木に対して妄動回転することなく取付支持することができるとともに、継手全体の形状が大型化，大重量化することを抑制できるという効果を発揮する。
【図面の簡単な説明】
【００１４】
【図１】第１実施形態の継手を含む配管路の構成を示す分解斜視図。
【図２】図１の継手の腕木に対する取付状態を示す部分拡大断面図。
【図３】第２実施形態の継手を示す斜視図。
【図４】図３の継手の腕木に対する取付状態を示す部分拡大断面図。
【図５】同継手の腕木に対する他の取付状態を示す部分断面図。
【図６】同継手の腕木に対するその他の取付状態を示す部分断面図。
【図７】第３実施形態の継手を示す斜視図。
【図８】図７の継手の腕木に対する取付状態を示す部分拡大断面図。
【図９】同継手の腕木に対する他の取付状態を示す部分断面図。
【図１０】従来の継手を含む配管路の構成を示す部分断面図。
【図１１】図１０の１１−１１線における部分拡大断面図。
【発明を実施するための形態】
【００１５】
（第１実施形態）
以下に、この発明をスプリンクラヘッド用の配管路に接続される継手に具体化した第１実施形態を、図１及び図２に従って説明する。
【００１６】
図１に示すように、図示しない建築物の天井部の梁材間に四角パイプ状の腕木２１が架設されている。腕木２１の一側上部には、水道水の配管２２が腕木２１と平行に延びるように配設されている。配管２２の一部には、スプリンクラヘッド用の継手２３が接続されている。この継手２３はほぼＴ形状に形成され、配管２２に接続される一対の接続管部２３ａと、スプリンクラヘッド２４を取り付けるための取付管部２３ｂとを備えている。
【００１７】
図１及び図２に示すように、前記継手２３の取付管部２３ｂの外周背面には、回り止め部２５が設けられている。この回り止め部２５は、腕木２１の側面に当接可能な平面部２５Ａから構成されている。また、図２に示すように、回り止め部２５の幅Ｗは取付管部２３ｂの外径Ｄ以下に形成されている。そして、この回り止め部２５としての平面部２５Ａが腕木２１の側面に当接された状態で、取付管部２３ｂが取付金具２６及び一対の取付ネジ２７により、腕木２１に締め付け固定されている。この固定により、継手２３が腕木２１に対して回り止めした状態で取付支持されている。
【００１８】
この状態で、継手２３の取付管部２３ｂの下端部が、図示しない天井板に形成された挿通孔内に挿通配置されるようになっている。そして、前記スプリンクラヘッド２４が取付管部２３ｂの下端部に形成されたネジ孔２３ｃに対して、天井板の下方からねじ込み固定されるようになっている。
【００１９】
この場合、継手２３の取付管部２３ｂの外周面に設けられた回り止め部２５としての平面部２５Ａが腕木２１の側面に当接することにより、継手２３が腕木２１に対して回り止めされている。このため、継手２３の取付管部２３ｂに対するスプリンクラヘッド２４のねじ込み固定時に、継手２３が取付管部２３ｂの軸線を中心に妄動回転することはない。よって、継手２３の接続管部２３ａと配管２２との接続部に無理な力がかかるおそれはない。
【００２０】
従って、この実施形態によれば、以下のような効果を得ることができる。
（１）  この継手においては、腕木２１に対する継手２３の取付支持状態で、取付管部２３ｂの外周面に設けられた回り止め部２５が腕木２１に当接することにより、継手２３の回り止めが行われるように構成されている。このため、継手２３を腕木２１に対して妄動回転することなく取付支持することができる。また、回り止め部２５の幅Ｗが取付管部２３ｂの外径Ｄ以下に形成されているため、回り止め部２５が取付管部２３ｂの外周面に突出することはない。従って、継手２３全体の形状が大型化したり、大重量化したりすることを抑制することができる。
【００２１】
（２）  この継手においては、前記回り止め部２５が取付管部２３ｂと一体形成された平面部２５Ａにより構成されている。このため、部品点数が増えることはなく、回り止め部２５の構造が簡単であるとともに、その回り止め部２５としての平面部２５Ａが腕木２１に当接することにより、継手２３を腕木２１に対して強固に回り止め保持することができる。
（第２実施形態）
次に、この発明を具体化した継手の第２実施形態を、前記第１実施形態と異なる部分を中心に説明する。
【００２２】
この第２実施形態においては、図３〜図６に示すように、継手２３の取付管部２３ｂの外周背面に設けられた回り止め部２５としての平面部２５Ａの両側縁に、一対の傾斜平面部２５ａが取付管部２３ｂの軸方向に沿って延びるように形成されている。そして、図４〜図６に示すように、継手２３を接続した配管２２の軸線Ｌに対する腕木２１の延長方向に応じて、中央の平面部２５Ａまたは両側の傾斜平面部２５ａを腕木２１の側面に対して選択的に当接させるようになっている。
【００２３】
すなわち、図４に示すように、腕木２１が配管２２の軸線Ｌに対して平行に延長配置されている場合には、中央の平面部２５Ａが腕木２１の側面に当接された状態で、継手２３の取付管部２３ｂが取付金具２６及び取付ネジ２７により、腕木２１に取り付け支持される。また、図５及び図６に示すように、腕木２１が配管２２の軸線Ｌに対して傾斜した方向に延長配置されている場合には、両側の傾斜平面部２５ａが腕木２１の側面に当接された状態で、継手２３の取付管部２３ｂが腕木２１に取り付け支持される。
【００２４】
従って、この第２実施形態によれば、前記第１実施形態における（１）及び（２）に記載の効果に加えて、以下のような効果を得ることができる。
（３）  この継手においては、前記平面部２５Ａの両側縁に傾斜平面部２５ａが形成されている。このため、腕木２１が継手２３を接続した配管２２の軸線Ｌと異なった方向に延長配置されている場合でも、回り止め部２５としての平面部２５Ａまたはその両側縁の傾斜平面部２５ａを腕木２１に対して選択的に当接させることにより、継手２３を腕木２１に対して支障なく回り止め保持することができる。
【００２５】
（第３実施形態）
次に、この発明を具体化した継手の第３実施形態を、前記第１実施形態と異なる部分を中心に説明する。
【００２６】
この第３実施形態においては、図７〜図９に示すように、継手２３の取付管部２３ｂの外周面に回り止め部２５としての凹凸部２５Ｂが形成されている。この凹凸部２５Ｂは、取付管部２３ｂの軸方向に延びるように所定間隔おいて交互に配列された複数の突条２５ｂと、その突条２５ｂ間に位置する複数の凹溝２５ｃとから構成されている。そして、図８及び図９に示すように、継手２３を接続した配管２２の軸線Ｌに対する腕木２１の延長方向に応じて、凹凸部２５Ｂにおける任意一対の突条２５ｂを腕木２１の側面に対して選択的に当接させるようになっている。
【００２７】
すなわち、図８に示すように、腕木２１が配管２２の軸線Ｌに対して平行に延長配置されている場合には、配管２２の軸線Ｌと直交する線Ｌ１の両側の一対の突条２５ｂが腕木２１の側面に当接された状態で、継手２３の取付管部２３ｂが取付金具２６及び取付ネジ２７により、腕木２１に取り付け支持される。また、図９に示すように、腕木２１が配管２２の軸線Ｌに対して直交する方向に延長配置されている場合には、配管２２の軸線Ｌ側の両側の一対の突条２５ｂが腕木２１の側面に当接された状態で、継手２３の取付管部２３ｂが腕木２１に取り付け支持される。さらに、図示しないが、腕木２１が配管２２の軸線Ｌに対して任意の角度傾斜した方向に延長配置されている場合にも、凹凸部２５Ｂにおける任意一対の突条２５ｂが腕木２１の側面に当接された状態で、継手２３の取付管部２３ｂが腕木２１に取り付け支持される。
【００２８】
従って、この第３実施形態によれば、前記第１実施形態における（１）に記載の効果に加えて、以下のような効果を得ることができる。
（４）  この継手においては、前記回り止め部２５が取付管部２３ｂの軸方向に延びる突条２５ｂと凹溝２５ｃとからなる凹凸部２５Ｂにより構成されている。このため、腕木２１が継手２３を接続した配管２２の軸線Ｌと異なった種々の方向に延長配置されている場合でも、回り止め部２５としての凹凸部２５Ｂにおける任意の突条２５ｂを腕木２１に対して選択的に当接させることができる。そして、この状態においては、突条２５ｂが腕木２１及び取付金具２６に食い込むように接触するため、継手２３を腕木２１に対して支障なく回り止め保持することができる。
【００２９】
（変更例）
なお、この実施形態は、次のように変更して具体化することも可能である。
・  前記第１実施形態において、継手２３の取付管部２３ｂの外周全体に、回り止め部２５としての複数の平面部２５Ａを形成すること。
【００３０】
・  前記第２実施形態において、傾斜平面部２５ａを平面部２５Ａの一側のみに設けること。
・  前記実施形態の構成をスプリンクラヘッド用の継手とは異なった用途、例えば蛇口用の継手に具体化すること。
【００３１】
・  回り止め部２５として、複数のスポット状突起によって構成すること。
【符号の説明】
【００３２】
２１…腕木、２２…配管、２３…継手、２３ｂ…取付管部、２４…スプリンクラヘッド、２５…回り止め部、２５Ａ…平面部、２５Ｂ…凹凸部、２５ａ…傾斜平面部、２５ｂ…突条、２５ｃ…凹溝、２６…取付金具、２７…取付ネジ、Ｗ…幅。
【図１】
0005676178.tif 000002
【図２】
0005676178.tif 000003
【図３】
0005676178.tif 000004
【図４】
0005676178.tif 000005
【図５】
0005676178.tif 000006
【図６】
0005676178.tif 000007
【図７】
0005676178.tif 000008
【図８】
0005676178.tif 000009
【図９】
0005676178.tif 000010
【図１０】
0005676178.tif 000011
【図１１】
0005676178.tif 000012